【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
読み取られた画像内に配置される文字の文字認識結果を表示装置に表示させ、誤認識文字の修正指示を受け付ける画像処理装置であって、
前記表示装置に表示された文字認識結果から１の誤認識文字を選択する誤認識文字選択手段と、
前記選択された誤認識文字に対する修正指示を受け付ける修正指示受付手段と、
前記誤認識文字選択手段により選択された誤認識文字が所属するグループであって、文字認識の過程においてグループ分けされた関連する誤認識文字から構成されるグループの、該選択された誤認識文字の他の誤認識文字を、ユーザに修正の要否を判断させるべく当該文字を含む前後文字と共に一覧表示させる一覧表示制御手段と、
前記一覧表示された誤認識文字に対し、前記修正指示受付手段により受け付けた修正指示と同一の修正を行う同一修正手段と
を備えることを特徴とする画像処理装置。
【請求項２】
前記同一修正手段は、前記一覧表示された誤認識文字から指定された誤認識文字に対し、前記修正指示受付手段により受け付けた修正指示と同一の修正を行うことを特徴とする請求項１に記載の画像処理装置。
【請求項３】
読み取られた画像内に配置される文字の文字認識結果を表示装置に表示させ、誤認識文字の修正指示を受け付ける画像処理装置であって、
文字認識の過程においてグループ分けされた、関連する誤認識文字から構成される１のグループを選択するグループ選択手段と、
前記選択されたグループを構成する誤認識文字を、ユーザに修正の要否を判断させるべく当該文字を含む前後文字と共に一覧表示させる一覧表示制御手段と、
前記一覧表示された誤認識文字に対する修正指示を受け付ける修正指示受付手段と、
前記修正指示に従って、前記一覧表示された誤認識文字を一括して修正する一括修正手段と
を備えることを特徴とする画像処理装置。
【請求項４】
前記一括修正手段は、前記一覧表示された誤認識文字から指定された誤認識文字に対し、前記修正指示に従って修正することを特徴とする請求項３に記載の画像処理装置。
【請求項５】
前記修正指示受付手段が受け付ける修正指示は、前記表示装置に表示された前記誤認識文字に対応する複数の修正候補文字から選択された１の修正候補文字による修正を行うための修正指示であることを特徴とする請求項１乃至４の何れか１項に記載の画像処理装置。
【請求項６】
前記修正指示受付手段が受け付ける修正指示は、ユーザにより入力される修正文字による修正を行うための修正指示であることを特徴とする請求項１乃至４の何れか１項に記載の画像処理装置。
【請求項７】
前記一覧表示制御手段により表示される前記前後文字は、前記誤認識文字の前後数文字からなる文字認識前又は後の文字であることを特徴とする請求項１乃至６の何れか１項に記載の画像処理装置。
【請求項８】
前記表示装置に表示された文字認識結果において、誤認識文字とその他の文字とを識別可能に表示する表示制御手段を更に備えることを特徴とする請求項１乃至７の何れか１項に記載の画像処理装置。
【請求項９】
前記文字認識の過程においてグループ分けされた、関連する誤認識文字から構成されるグループは、
前記画像内に配置される文字毎に切り出された画像と、当該画像から文字品質を評価する辞書データベースと、から得られるこの文字毎に切り出された画像の評価結果から、予め定められた条件に従ってグループ分けが行われることを特徴とする請求項１乃至８の何れか１項に記載の画像処理装置。
【請求項１０】
前記グループを構成する誤認識文字うち修正指示がなされない誤認識文字を、このグループ以外のグループへ再グループ分けする再グループ分け手段を更に備えることを特徴とする請求項１乃至９の何れか１項に記載の画像処理装置。
【請求項１１】
前記再グループ分け手段は、前記修正指示がなされない誤認識文字の、画像内に配置される文字毎に切り出された画像から文字品質を評価する辞書データベースから得られた評価結果と、ぜんき誤認識文字が所属するグループ以外のグループに所属する誤認識文字の前記辞書データベースから得られた評価結果とを用いて再グループ分けを行うことを特徴とする請求項１０に記載の画像処理装置。
【請求項１２】
読み取られた画像内に配置される文字の文字認識結果を表示装置に表示させ、誤認識文字の修正指示を受け付ける画像処理装置における画像処理方法であって、
前記表示装置に表示された文字認識結果から１の誤認識文字を選択する誤認識文字選択工程と、
前記選択された誤認識文字に対する修正指示を受け付ける修正指示受付工程と、
前記誤認識文字選択工程で選択された誤認識文字が所属するグループであって、文字認識の過程においてグループ分けされた関連する誤認識文字から構成されるグループの、該選択された誤認識文字の他の誤認識文字を、ユーザに修正の要否を判断させるべく当該文字を含む前後文字と共に一覧表示させる一覧表示制御工程と、
前記一覧表示された誤認識文字に対し、前記修正指示受付工程で受け付けた修正指示と同一の修正を行う同一修正工程と
を備えることを特徴とする画像処理方法。
【請求項１３】
読み取られた画像内に配置される文字の文字認識結果を表示装置に表示させ、誤認識文字の修正指示を受け付ける画像処理装置における画像処理方法であって、
文字認識の過程においてグループ分けされた、関連する誤認識文字から構成される１のグループを選択するグループ選択工程と、
前記選択されたグループを構成する誤認識文字を、ユーザに修正の要否を判断させるべく当該文字を含む前後文字と共に一覧表示させる一覧表示制御工程と、
前記一覧表示された誤認識文字に対する修正指示を受け付ける修正指示受付工程と、
前記修正指示に従って、前記一覧表示された誤認識文字を一括して修正する一括修正工程と
を備えることを特徴とする画像処理方法。
【請求項１４】
読み取られた画像内に配置される文字の文字認識結果を表示装置に表示させ、誤認識文字の修正指示を受け付ける画像処理装置において実行可能なコンピュータプログラムであって、
前記画像処理装置を、
前記表示装置に表示された文字認識結果から１の誤認識文字を選択する誤認識文字選択手段と、
前記選択された誤認識文字に対する修正指示を受け付ける修正指示受付手段と、
前記誤認識文字選択手段により選択された誤認識文字が所属するグループであって、文字認識の過程においてグループ分けされた関連する誤認識文字から構成されるグループの、該選択された誤認識文字の他の誤認識文字を、ユーザに修正の要否を判断させるべく当該文字を含む前後文字と共に一覧表示させる一覧表示制御手段と、
前記一覧表示された誤認識文字に対し、前記修正指示受付手段により受け付けた修正指示と同一の修正を行う同一修正手段と
して機能させるためのコンピュータプログラム。
【請求項１５】
読み取られた画像内に配置される文字の文字認識結果を表示装置に表示させ、誤認識文字の修正指示を受け付ける画像処理装置において実行可能なコンピュータプログラムであって、
前記画像処理装置を、
文字認識の過程においてグループ分けされた、関連する誤認識文字から構成される１のグループを選択するグループ選択手段と、
前記選択されたグループを構成する誤認識文字を、ユーザに修正の要否を判断させるべく当該文字を含む前後文字と共に一覧表示させる一覧表示制御手段と、
前記一覧表示された誤認識文字に対する修正指示を受け付ける修正指示受付手段と、
前記修正指示に従って、前記一覧表示された誤認識文字を一括して修正する一括修正手段と
して機能させるためのコンピュータプログラム。
【請求項１６】
請求項１４又は１５に記載のコンピュータプログラムを格納したことを特徴とする、コンピュータ読み取り可能な記憶媒体。
【手続補正２】
【補正対象書類名】明細書
【補正対象項目名】００１３
【補正方法】変更
【補正の内容】
【００１３】
即ち、読み取られた画像内に配置される文字の文字認識結果を表示装置に表示させ、誤認識文字の修正指示を受け付ける画像処理装置であって、
前記表示装置に表示された文字認識結果から１の誤認識文字を選択する誤認識文字選択手段と、
前記選択された誤認識文字に対する修正指示を受け付ける修正指示受付手段と、
前記誤認識文字選択手段により選択された誤認識文字が所属するグループであって、文字認識の過程においてグループ分けされた関連する誤認識文字から構成されるグループの、該選択された誤認識文字の他の誤認識文字を、ユーザに修正の要否を判断させるべく当該文字を含む前後文字と共に一覧表示させる一覧表示制御手段と、
前記一覧表示された誤認識文字に対し、前記修正指示受付手段により受け付けた修正指示と同一の修正を行う同一修正手段と
を備えることを特徴とする。
本発明の目的を達成するために、例えば、本発明の画像処理装置は以下の構成を備える。
即ち、読み取られた画像内に配置される文字の文字認識結果を表示装置に表示させ、誤認識文字の修正指示を受け付ける画像処理装置であって、
文字認識の過程においてグループ分けされた、関連する誤認識文字から構成される１のグループを選択するグループ選択手段と、
前記選択されたグループを構成する誤認識文字を、ユーザに修正の要否を判断させるべく当該文字を含む前後文字と共に一覧表示させる一覧表示制御手段と、
前記一覧表示された誤認識文字に対する修正指示を受け付ける修正指示受付手段と、
前記修正指示に従って、前記一覧表示された誤認識文字を一括して修正する一括修正手段と
を備えることを特徴とする。
【手続補正３】
【補正対象書類名】明細書
【補正対象項目名】００１５
【補正方法】変更
【補正の内容】
【００１５】
即ち、読み取られた画像内に配置される文字の文字認識結果を表示装置に表示させ、誤認識文字の修正指示を受け付ける画像処理装置における画像処理方法であって、
前記表示装置に表示された文字認識結果から１の誤認識文字を選択する誤認識文字選択工程と、
前記選択された誤認識文字に対する修正指示を受け付ける修正指示受付工程と、
前記誤認識文字選択工程で選択された誤認識文字が所属するグループであって、文字認識の過程においてグループ分けされた関連する誤認識文字から構成されるグループの、該選択された誤認識文字の他の誤認識文字を、ユーザに修正の要否を判断させるべく当該文字を含む前後文字と共に一覧表示させる一覧表示制御工程と、
前記一覧表示された誤認識文字に対し、前記修正指示受付工程で受け付けた修正指示と同一の修正を行う同一修正工程と
を備えることを特徴とする。
本発明の目的を達成するために、例えば、本発明の画像処理方法は以下の構成を備える。
即ち、読み取られた画像内に配置される文字の文字認識結果を表示装置に表示させ、誤認識文字の修正指示を受け付ける画像処理装置における画像処理方法であって、
文字認識の過程においてグループ分けされた、関連する誤認識文字から構成される１のグループを選択するグループ選択工程と、
前記選択されたグループを構成する誤認識文字を、ユーザに修正の要否を判断させるべく当該文字を含む前後文字と共に一覧表示させる一覧表示制御工程と、
前記一覧表示された誤認識文字に対する修正指示を受け付ける修正指示受付工程と、
前記修正指示に従って、前記一覧表示された誤認識文字を一括して修正する一括修正工程と
を備えることを特徴とする。